【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
インクジェット捺染法により織物繊維材料を捺染する方法であって、該繊維材料を、
（ａ）式（１）：
【化１】
1999012963.tif 000001
〔式中、Ｒ1、Ｒ2、Ｒ3およびＲ4は、それぞれ、互いに独立に、水素、または非置換もしくは置換のＣ1〜Ｃ4アルキルであり、
Ｂ1は、有機架橋要素であり、
Ａ1は、少なくとも１個のスルホ基を有する、モノアゾ、ポリアゾ、金属錯化アゾ、アントラキノン、フタロシアニン、ホルマザンまたはジオキサジンの発色団の基であり、そして
Ａ2は、Ａ1について定義されたとおりであるか、あるいは水素、または非置換もしくは置換の、Ｃ1〜Ｃ4アルキル、フェニルまたはナフチルである〕
で示される少なくとも１種類の反応性染料、または
式（２）：
【化２】
1999012963.tif 000002
〔式中、Ｒ5は、水素、または非置換もしくは置換のＣ1〜Ｃ4アルキルであり、
Ｘ1は、ハロゲンであり、
Ａ3は、少なくとも１個のスルホ基を有する、モノアゾ、ポリアゾ、金属錯化アゾ、アントラキノン、フタロシアニン、ホルマザンまたはジオキサジンの発色団の基であり、そして
Ｖは、式（３ａ）〜（３ｅ）：
【化３】
1999012963.tif 000003
のいずれかで示される繊維反応基であって、式中、
alkyleneおよびalkylene′は、それぞれ、互いに独立に、Ｃ1〜Ｃ6アルキレンであり、
aryleneは、非置換であるか、またはスルホ、カルボキシル、Ｃ1〜Ｃ4アルキル、Ｃ1〜Ｃ4アルコキシまたはハロゲンで置換された、フェニレンもしくはナフチレン基であり、
Ｚは、ビニルまたは基−ＣＨ2−ＣＨ2−Ｕ1であって、Ｕ1は離脱基であり、
Ｒは、水素、ヒドロキシル、スルホ、スルファト、カルボキシル、シアノ、ハロゲン、Ｃ1〜Ｃ4アルコキシカルボニル、Ｃ1〜Ｃ4アルカノイルオキシ、カルバモイルまたは基−ＳＯ2−Ｚであり、
Ｒ6は、水素、あるいは非置換であるか、またはヒドロキシル、スルホ、スルファト、カルボキシルもしくはシアノで置換されたＣ1〜Ｃ4アルキル、あるいは式：
【化４】
1999012963.tif 000004
で示される基であり、
Ｒ7は、水素、あるいは非置換であるか、またはカルボキシル、シアノ、ヒドロキシル、スルホまたはスルファトで置換されたＣ1〜Ｃ4アルキルであり、
Ｅは、基−Ｏ−または−ＮＲ8−であって、Ｒ8は水素またはＣ1〜Ｃ4アルキルであり、
Ｗは、式−ＳＯ2−ＮＲ6−、−ＣＯＮＲ6−または−ＮＲ6ＣＯ−の基であって、Ｒ6は上記に定義されたとおりであり、そして
ｔは、０または１である〕
で示される少なくとも1種類の反応性染料と、
（ｂ）水溶性の非イオン性セルロースエーテルまたはアルギナートと
を含む水性インクで捺染する方法。
【請求項２】
Ｒ1、Ｒ2、Ｒ3、Ｒ4およびＲ5が、それぞれ、互いに独立に、水素またはＣ1〜Ｃ4アルキルである、請求項１に記載の方法。
【請求項３】
Ｂ1が、基−ＮＨ−、−Ｎ（ＣＨ3）−および−Ｏ−から選ばれる１、２または３個の要素で中断されていてもよく、非置換であるか、またはヒドロキシル、スルホ、スルファト、シアノもしくはカルボキシルで置換されたＣ2〜Ｃ12アルキレン基である、請求項１または２に記載の方法。
【請求項４】
Ｘ1が、フッ素または塩素、特にフッ素である、請求項１〜３のいずれか一項に記載の方法。
【請求項５】
Ｖが、式（３ｂ）または（３ｄ）の基である、請求項１〜４のいずれか一項に記載の方法。
【請求項６】
alkyleneおよびalkylene′が、それぞれ、互いに独立にＣ2〜Ｃ3アルキレンであり、
Ｒ7が、水素であり、
Ｚが、ビニル、または式−ＣＨ2−ＣＨ2−ＯＳＯ3Ｈの基であり、
Ｅが、基−Ｏ−であり、
Ｗが、式−ＣＯＮＨ−の基であり、
ｔが、数０である、
請求項１〜５のいずれか一項に記載の方法。
【請求項７】
Ａ1、Ａ2およびＡ3が、それぞれ、互いに独立に、
式（５ａ）：
【化５】
1999012963.tif 000005
〔式中、（Ｒ9）0-3は、Ｃ1〜Ｃ4アルキル、Ｃ1〜Ｃ4アルコキシ、ハロゲン、カルボキシルおよびスルホ基から選ばれる、０〜３個の同一または異種の置換基を意味し、Ｚは、請求項１に定義されたとおりである〕；
式（５ｂ）：
【化６】
1999012963.tif 000006
〔式中、Ｚは、請求項１に定義されたとおりである〕；
式（５ｃ）：
【化７】
1999012963.tif 000007
〔式中、（Ｒ10）0-4は、ハロゲン、ニトロ、シアノ、トリフルオロメチル、スルファモイル、カルバモイル、Ｃ1〜Ｃ4アルキル、Ｃ1〜Ｃ4アルコキシ、アミノ、アセチルアミノ、ウレイド、ヒドロキシル、カルボキシル、スルホメチルおよびスルホ基から選ばれる、０〜４個の同一または異種の置換基を意味し、Ｚは、請求項１に定義されたとおりである〕；
式（５ｄ）：
【化８】
1999012963.tif 000008
〔式中、（Ｒ11）0-3は、Ｃ1〜Ｃ4アルキル、Ｃ1〜Ｃ4アルコキシ、ハロゲン、カルボキシルおよびスルホ基から選ばれる、０〜３個の同一または異種の置換基を意味する〕；
式（５ｅ）：
【化９】
1999012963.tif 000009
〔式中、Ｒ12およびＲ14は、それぞれ、互いに独立に、水素、Ｃ1〜Ｃ4アルキルまたはフェニルであり、Ｒ13は、水素、シアノ、カルバモイルまたはスルホメチルである〕；
式（６ａ）〜（６ｄ）：
【化１０】
1999012963.tif 000010
〔式中、（Ｒ9）0-3、（Ｒ10）0-3、（Ｒ11）0-3およびＺは、それぞれ、上記に定義されたとおりであり、（Ｒ9′)0-3は、Ｃ1〜Ｃ4アルキル、Ｃ1〜Ｃ4アルコキシ、ハロゲン、カルボキシルおよびスルホ基から選ばれる、０〜３個の同一または異種の置換基を意味する〕；
式（７ａ）もしくは（７ｂ）：
【化１１】
1999012963.tif 000011
〔式中、Ｚは、上記に定義されたとおりであり、ベンゼン核は、それ以上いかなる置換基も含まないか、またはＣ1〜Ｃ4アルキル、Ｃ1〜Ｃ4アルコキシ、Ｃ1〜Ｃ4アルキルスルホニル、ハロゲンまたはカルボキシルでさらに置換されている〕；
式（８）：
【化１２】
1999012963.tif 000012
〔式中、Pcは、金属フタロシアニンの基、特に銅またはニッケルフタロシアニンの基であり、
Ｗ′は、−ＯＨおよび／または−ＮＲ16Ｒ16′であって、Ｒ16およびＲ16′は、それぞれ、互いに独立に、水素、あるいは非置換であるか、またはヒドロキシルもしくはスルホで置換されたＣ1〜Ｃ4アルキルであり、
Ｒ15は、水素またはＣ1〜Ｃ4アルキルであり、
Ａは、非置換であるか、またはＣ1〜Ｃ4アルキル、ハロゲン、カルボキシルもしくはスルホで置換されたフェニレン基であるか、あるいはＣ2〜Ｃ6アルキレン基であり、そして
ｋは１〜３である〕；
式（９）：
【化１３】
1999012963.tif 000013
〔式中、Ａ′は、非置換であるか、またはＣ1〜Ｃ4アルキル、ハロゲン、カルボキシルもしくはスルホで置換されたフェニレン基であるか、あるいはＣ2〜Ｃ6アルキレン基であり、
ｒ、ｓ、ｖおよびｖ′は、それぞれ、互いに独立に、数０または１であり、そして
Ｚは、上記に定義されたとおりである〕；
あるいは式（１０）：
【化１４】
1999012963.tif 000014
〔式中、Ｇは、非置換であるか、またはＣ1〜Ｃ4アルキル、Ｃ1〜Ｃ4アルコキシ、ハロゲン、カルボキシルもしくはスルホで置換されたフェニレン基であるか、あるいはシクロヘキシレン、フェニレンメチレンまたはＣ2〜Ｃ6アルキレン基である〕
で示される基のいずれかである、請求項１〜６のいずれか一項に記載の方法。
【請求項８】
式（１）または（２）の反応性染料として、式（１１ａ）〜（１１ｆ）：
【化１５】
1999012963.tif 000015
【化１６】
1999012963.tif 000016
のいずれかで示される反応性染料のうちの少なくとも１種類を用いる、請求項１に記載の方法。
【請求項９】
アルギナート、特にアルギン酸ナトリウムを含むインクを用いる、請求項１〜８のいずれか一項に記載の方法。
【請求項１０】
セルロース性繊維材料、特に綿またはビスコースを捺染する、請求項１〜９のいずれか一項に記載の方法。
【請求項１１】
インクジェット捺染法のための水性捺染インクであって、
（a）式（１）：
【化１７】
1999012963.tif 000017
〔式中、Ｒ1、Ｒ2、Ｒ3およびＲ4は、それぞれ、互いに独立に、水素、または非置換もしくは置換のＣ1〜Ｃ4アルキルであり、
Ｂ1は、有機架橋要素であり、
Ａ1は、少なくとも１個のスルホ基を有する、モノアゾ、ポリアゾ、金属錯化アゾ、アントラキノン、フタロシアニン、ホルマザンまたはジオキサジンの発色団の基であり、
Ａ2は、Ａ1について定義されたとおりであるか、あるいは水素、または非置換もしくは置換の、Ｃ1〜Ｃ4アルキル、フェニルまたはナフチルである〕
で示される少なくとも１種類の反応性染料、または
式（２）：
【化１８】
1999012963.tif 000018
〔式中、Ｒ5は、水素、または非置換もしくは置換のＣ1〜Ｃ4アルキルであり、
Ｘ1は、ハロゲンであり、
Ａ3は、少なくとも１個のスルホ基を有する、モノアゾ、ポリアゾ、金属錯化アゾ、アントラキノン、フタロシアニン、ホルマザンまたはジオキサジンの発色団の基であり、
Ｖは、式（３ａ）〜（３ｅ）：
【化１９】
1999012963.tif 000019
のいずれかで示される繊維反応基であって、式中、
alkyleneおよびalkylene′は、それぞれ、互いに独立に、Ｃ1〜Ｃ6アルキレンであり、
aryleneは、非置換であるか、またはスルホ、カルボキシル、Ｃ1〜Ｃ4アルキル、Ｃ1〜Ｃ4アルコキシまたはハロゲンで置換された、フェニレンもしくはナフチレン基であり、
Ｚは、ビニルまたは基−ＣＨ2−ＣＨ2−Ｕ1であって、Ｕ1は離脱基であり、
Ｒは、水素、ヒドロキシル、スルホ、スルファト、カルボキシル、シアノ、ハロゲン、Ｃ1〜Ｃ4アルコキシカルボニル、Ｃ1〜Ｃ4アルカノイルオキシ、カルバモイルまたは基−ＳＯ2−Ｚであり、
Ｒ6は、水素、あるいは非置換であるか、またはヒドロキシル、スルホ、スルファト、カルボキシルもしくはシアノで置換されたＣ1〜Ｃ4アルキル、あるいは式：
【化２０】
1999012963.tif 000020
で示される基であり、
Ｒ7は、水素、あるいは非置換であるか、またはカルボキシル、シアノ、ヒドロキシル、スルホまたはスルファトで置換されたＣ1〜Ｃ4アルキルであり、
Ｅは、基−Ｏ−または−ＮＲ8−であって、Ｒ8は水素またはＣ1〜Ｃ4アルキルであり、
Ｗは、式−ＳＯ2−ＮＲ6−、−ＣＯＮＲ6−または−ＮＲ6ＣＯ−の基であって、Ｒ6は上記に定義されたとおりであり、そして
ｔは、０または１である〕
で示される少なくとも１種類の反応性染料５〜３５重量％と、
（ｂ）水溶性の非イオン性セルロースエーテルまたはアルギナート０．０１〜２重量％と
を含む水性捺染インク。
【請求項１２】
アルギナート０．０１〜２重量％を含む、請求項１１記載の水性捺染インク。